(57)【要約】【課題】  背丈の相違するいずれの子供にも、簡単容易に着付けすることが出来、かつ仕上げのきれいな簡易着付け着物を提供する。【解決手段】  腰巻状であって、身体腰部に巻きつけるための下衣２と、右袖、左袖、右前身頃、左前身頃、後身頃、及び衿とで構成される上衣３と、袖無し衣であって上衣３に重ね着し、袖出し口より上衣３の右袖、左袖を出して被着する被布４と、からなり、被布４の身丈が上衣３の身丈よりも長く設定している。着付けする場合は、先ず下衣２を子供の腰部に巻き付けて装着する。続いて、上衣３の右袖、左袖にそれぞれの手を通させて、上衣３を被着させる。最後に被布４の左右の袖出口２７、２８に、それぞれ上衣３の右袖、左袖及び右手、左手を通させて被布４を上衣３上に重ねて被着させる。【選択図】      図１０
0003132448.tif 000002
【実用新案登録請求の範囲】
【請求項１】
下半身に被着させるための下衣と、右袖、左袖、右身頃、左身頃、後身頃、及び衿とで構成される上衣と、袖無し衣であって、前記上衣に重ね着し、袖出し口より、前記上衣の右袖、左袖を出して被着する被布と、からなり、前記被布は、身丈を前記上衣の身丈よりも、長く設定してあることを特徴とする簡易着付け着物。
【請求項２】
前記下衣は、腰巻状であって、身体腰部に巻きつけるものであることを特徴とする請求項１記載の簡易着付け着物。  
【請求項３】
前記下衣は、上端角表面と、上端裏面適所に互いに接離するための面ファスナを設けたことを特徴とする請求項２記載の簡易着付け着物。
【請求項４】
前記下衣は、上端角表面と、上端裏面適所に互いに結び合う紐を設けたことを特徴とする請求項２記載の簡易着付け着物。
【請求項５】
前記下衣は、スカートタイプであることを特徴とする請求項１記載の簡易着付け着物。
【考案の詳細な説明】
【技術分野】
【０００１】
この考案は、写真館などで、簡易に着付けする、特に子供に着付けする場合に、好適な簡易着付け着物に関する。
【背景技術】
【０００２】
古くより、子供のお誕生日、七五三等に写真館に出かけ、記念写真を撮ることが行われている。この場合、写真館において、子供用の着物をいくつか用意しておき、来館した子供に合った着物を着せて撮影している。その際、着付けするのに、通常の長着のような着物では、子供の背丈に応じた腰揚げをしたり、帯を締めたりと、着付けに手間を要する上に、子供に苦痛を与えるなどの不都合がある。
【０００３】
そのため、通常の長着よりは、着付け易く、子供に負担をかけないようにするために、上衣と下衣からなり、上衣と下衣をファスナなどで止めるようにした着付け用の着物が、創作され、いくらか開示されている（例えば特許文献１、特許文献２参照）。
【特許文献１】実開平０７―００９９１７号公報
【特許文献２】特開平１１―２４７００７号公報
【考案の開示】
【考案が解決しようとする課題】
【０００４】
上記したように、写真館などにおいて、子供の背丈に応じた着物を着せて写真を取るためには、いくつかの丈の異なる着物を用意しておき、その子の身丈に一番近そうなものを選び、いくらかの端折りをして、着させている。しかし、この場合には、やはり端折り、帯締めなどの、着付けの面倒さがある。
【０００５】
そこで、上記特許文献に記載の如き、２部式の着物を幾種類か用意しておくことにより、着付けを簡易に行うことができるが、着付けの仕上がりは、きれいさ、という点で十分でなく、また、ひとつの着物では、背丈の大きく相違する子供達に着付けすることができない、という問題がある。
【０００６】
この考案は、上記問題点に着目してなされたものであって、１つの着物を、背丈の相違する何れの子供にも、簡単容易に着付けすることが出来、かつ着付けの仕上がりがきれいな簡易着付け着物を提供することを目的とする。
【課題を解決するための手段】
【０００７】
この考案の簡易着付け着物は、下半身に被着させるための下衣と、右袖、左袖、右身頃、左身頃、後身頃、及び衿とで構成される上衣と、袖無し衣であって、前記上衣に重ね着し、袖出し口より、前記上衣の右袖、左袖を出して被着する被布と、からなり、前記被布は、身丈を前記上衣の身丈よりも、長く設定してあることを特徴とする。
【０００８】
この考案の着物を着付けする場合は、先ず下衣を子供の腰部に被着させる。続いて、上衣の右袖、左袖それぞれの手を通させて、上衣を被着させる。最後に被布の左右の袖出口に、それぞれ上衣の右袖、左袖及び右手、左手を通させて被布を上衣上に重ねて被着させる。
【０００９】
この考案の簡易着付け着物において、前記下衣は、例えば腰巻状であって、身体腰部に巻きつけるものを使用する。この下衣は、好ましくは、上端角裏面と、上端表面適所に互いに接離するための面ファスナを設けると良い。
【００１０】
また、この考案の簡易着付け着物において、前記下衣は、上端角表面と、上端裏面適所に互いに結び合う紐を設けても良い。
【００１１】
また、この考案の簡易着付け着物において、前記下衣は、例えばスカートタイプのものを用いても良い。
【考案の効果】
【００１２】
この考案によれば、先ず、下衣を被着させて、そして上衣を被着させて、その後に、被布を上衣の上から被着させるだけで着付けを終了するので、腰揚げ、帯締めなど不要であり、非常に簡単容易に着付けを行うことができる。
【００１３】
また、背丈の大きな子供の場合に、下位と上衣の間に間隙が生じることがあっても、上衣に重ねて被布を被着することにより、被布は身丈を前記上衣の身丈よりも長く設定してあるので、間隙部分も含め下衣の上部に及ぶ範囲を被布により覆うことになるので、背丈の大きい子供にも、勿論小さい子供にも、不都合なく、着付けることが出来る。
【考案を実施するための最良の形態】
【００１４】
以下、実施の形態によりこの考案を、さらに詳細に説明する。図１０は、この考案の一実施形態である簡易着付け着物１をマネキン３０に被着させた状態を示す図である。この実施形態の簡易着付け着物１は、下衣２と、上衣３と、被布４とから、構成されている。
【００１５】
下衣２は、図１に表面図、図２に裏面図を示すように、長方形腰巻状であって、表面図において、上端右隅２ａに、紐５が取り付けられており、また、裏面図の上端右隅２ｂより左側に所定距離（２２〜２７ｃｍ）入った適所に紐６が取り付けられている。さらに、裏面の上端右隅２ｂには、方形の面ファスナ７が設けられるとともに、表面の上端右隅２ａより左側に所定距離（２２〜２５ｃｍ）入った適所に長手状の面ファスナ８が設けられている。
【００１６】
この下衣２を、子供に被着させる場合には、裏面側が内側になるように、胴体の腰部に巻きつけ、裏地の上端右隅２ｂの面ファスナ７を、表面の上端の面ファスナ８に被さるように巻きつけ、面ファスナ７，８を接合させて固定する。一方、紐５，６をそれぞれ胴体を囲むようにして結びつける。このようにしてマネキン３０の腰に下衣２を着付けた状態を図８に示す。なお、表面と裏面には、上端辺２ｃ方向に伸縮可能なようにゴム内蔵のギャザ９が設けられている。
【００１７】
上衣３は、図３に正面図、図４に前身頃を開いた状態に示すように、右袖１１、左袖１２、右前身頃１３、左前身頃１４、後身頃１５、及び衿１６で、構成されている。また、右前身頃１３の下部には横方向に長手状の面ファスナ１７が設けられ、さらに、左前身頃１４側の衿１６の裏側下部に方形の面ファスナ１８が設けられている。さらに、この上衣３は、身丈が袖丈より所定値長くなるように設定してある。この身丈は、袖丈とほぼ等しいか、あるいは逆に上衣３の身丈より袖丈を長く設定しても良い。
【００１８】
この上衣３を、子供に被着させる場合には、図４に示すように、右前身頃１３、左前身頃１４を開いた状態にして、子供の右、左の手を、それぞれ右袖１１、左袖１２に通させ、その後、面ファスナ１８を面ファスナ１７に接合することによって、着付けする。
【００１９】
図９に、下衣２と上衣３をマネキン３０に着付けた状態の一例を示している。ここでは、被着付け者の背が高く下衣２の上端と上衣３の下端との間に、隙間ＯＳが出来ている場合を示している。被着付け者の背が低い場合は、この隙間ＯＳは生じない。
【００２０】
被布４は、図５に正面図、図６に背面図、図７に前部左側を開いた状態を示しており、右前身頃１９、左前身頃２０、右おくみ２１、左おくみ２２、後身頃２３、衿２４を有する袖無し衣として構成されている。また、右おくみ２１の表面上端辺２１ａに凹ホック２５、左おくみ２２の裏面上端辺２２ａに凸ホック２６が設けられ、これら凹ホック２５、凸ホック２６を用いて、ホック止めできるようになっている。また被布４の身丈は、上衣３の身丈よりも所定値（９〜１２ｃｍ）長くなるように設定されている。
【００２１】
この、被布４を子供に被着させる場合には、図７に示す左前部を開いた状態から、右前部も開いた状態とし、上衣３を被着している状態の右手、右袖１１、左手、左袖１２を、それぞれ被布４の袖出口２７，２８より、出させる。そして、上記したホック２５，２６を止めて、着付けを終了する。
【００２２】
着付けを終了した状態は、図１０図に示す。上記したように、被布４の身丈を、上衣３の身丈より大となるように設定してあるので、図９に示す状態の下衣２と上衣３の被着状態でも、被布４によって、空隙ＯＳは、完全に覆われるので、支障なくきれいに着付けを終了することが出来る。
【００２３】
なお、上記実施形態では、下衣２は、腰巻状のものを用いる場合について説明したが、この考案においては、腰巻状の下衣２に代えて、図１１に示すスカートタイプの下衣２Ａを用いる他の実施形態とすることもできる。ここで示す下衣２Ａは、上端片２ｃ方向に伸縮可変なゴム内蔵のギャザ９Ａが設けられている。内蔵のゴムに変えてゴム挿通路に紐を挿入しても良い。  
【図面の簡単な説明】
【００２４】
【図１】この考案の一実施形態簡易着付け着物を構成する下衣の表面図である。
【図２】同実施形態簡易着付け着物の下衣の裏面図である。
【図３】同実施形態簡易着付け着物を構成する上衣の正面図である。
【図４】同実施形態簡易着付け着物の上衣の前身頃を開いた状態を示す正面図である。
【図５】同実施形態簡易着付け着物を構成する被布の正面図である。
【図６】同実施形態簡易着付け着物の被布の背面図である。
【図７】同実施形態簡易着付け着物の被布の左側前部を開いた状態を示す正面図である。
【図８】同実施形態簡易着付け着物の下衣を着付けた状態を示す図である。
【図９】同実施形態簡易着付け着物の下衣及び上衣を着付けた状態を示す図である。
【図１０】同実施形態簡易着付け着物の下衣及び上衣に、さらに被布を着付けし、着付け      終了状態を示す図である。
【図１１】この考案の他の実施形態に使用されるスカートタイプの下衣を示す正面図である。
【符号の説明】
【００２５】
１                              簡易着付け着物
２，２Ａ                        下衣
３                              上衣
４                              被布
５、６                          下衣の紐
７、８                          下衣の面ファスナ
９、９Ａ                        ゴム入りギャザ
１１                              上衣の右袖
１２                              上衣の左袖
１３                              上衣の右前身頃
１４                              上衣の左前身頃
１５                              上衣の後身頃
１６                              上衣の衿
１７、１８                        上衣の面ファスナ
１９                              被布の右前身頃
２０                              被布の左前身頃
２１                              被布の右おくみ
２２                              被布の左おくみ
２３                              被布の後身頃
２４                              被布の衿
２５                              被布の凹ホック
２６                              被布の凸ホック  
２７，２８                        被布の袖出口
【図１】
0003132448.tif 000003
【図２】
0003132448.tif 000004
【図３】
0003132448.tif 000005
【図４】
0003132448.tif 000006
【図５】
0003132448.tif 000007
【図６】
0003132448.tif 000008
【図７】
0003132448.tif 000009
【図８】
0003132448.tif 000010
【図９】
0003132448.tif 000011
【図１０】
0003132448.tif 000012
【図１１】
0003132448.tif 000013